(57)【特許請求の範囲】
【請求項１】
記録媒体に記録されているデータ量の圧縮された映像信号を再生する映像信号再生装置で、所定時間を１つのサイクルとし、この１つのサイクルを分割してタイムスロットが設定され、このタイムスロット単位で再生が行われる映像信号再生方法であって、
再生速度が所定の基準信号に応じた標準再生速度よりも速い場合は、上記再生速度に基づいて生成された再生基準信号に応じて、上記記録媒体から上記標準再生速度の場合よりも映像信号を多く読み出して第１のメモリ手段に記憶すると共に、再生速度が上記標準再生速度よりも遅い場合は、上記再生速度に基づいて生成された再生基準信号に応じて、上記記録媒体から上記標準再生速度の場合よりも映像信号を少なく読み出して上記第１のメモリ手段に記憶し、
上記記録媒体から読み出され上記第１のメモリ手段に記憶された映像信号を、再生速度が上記標準再生速度よりも速い場合は、上記標準再生速度の場合と同じデータ量の映像信号は、複数のデコード部を有したデコード手段の一のデコード部で上記所定の基準信号に応じて伸長処理すると共に、上記標準再生速度の場合よりも多く読み込まれた映像信号は、他のデコード部で上記所定の基準信号に応じて伸長処理し、再生速度が上記標準再生速度よりも遅い場合は、上記一のデコード部で上記所定の基準信号に応じて伸長処理し、
上記伸長処理して得られた映像信号を、再生速度が上記標準再生速度よりも速い場合は、上記標準再生速度の場合と同じデータ量の映像信号は、複数のメモリ部を有した第２のメモリ手段の一のメモリ部に上記所定の基準信号に応じて記憶すると共に、上記標準再生速度の場合よりも多く読み込まれた映像信号は、上記所定の基準信号に応じて他のメモリ部に記憶し、再生速度が上記標準再生速度よりも遅い場合は、上記所定の基準信号に応じて上記一のメモリ部に記憶し、
再生速度に応じて上記第２のメモリ手段の単一のメモリ部または複数のメモリ部に記憶された映像信号を間引きあるいは２度読みすることにより、再生速度が変更された映像信号を得ることを特徴とする映像信号再生方法。
【請求項２】
所定時間を１つのサイクルとし、この１つのサイクルを分割してタイムスロットが設定され、このタイムスロット単位で映像信号の再生が行われる映像信号再生装置であって、
データ量の圧縮された映像信号が記録されている記録媒体から映像信号を読み出す信号読出手段と、
上記信号読出手段で読み出された映像信号を記憶する第１のメモリ手段と、
上記第１のメモリ手段に記憶されている映像信号を伸長処理する複数のデコード部を有したデコード手段と、
上記デコード手段で伸長処理して得られた映像信号を記憶する複数のメモリ部を有した第２のメモリ手段と、
上記信号読出手段と第１のメモリ手段と上記デコード手段と上記第２のメモリ手段を制御する制御手段とを有し、
上記制御手段では、
再生速度が所定の基準信号に応じた標準再生速度よりも速い場合は、上記再生速度に基づいて生成された再生基準信号に応じて、上記信号読出手段を制御して上記記録媒体から上記標準再生速度の場合よりも映像信号を多く読み出し、上記第１のメモリ手段を制御して上記信号読出手段により読み出した映像信号を上記第１のメモリ手段に記憶すると共に、再生速度が上記標準再生速度よりも遅い場合は、上記再生速度に基づいて生成された再生基準信号に応じて、上記信号読出手段を制御して上記記録媒体から上記標準再生速度の場合よりも映像信号を少なく読み出し、上記第１のメモリ手段を制御して上記第１のメモリ手段に記憶し、
上記所定の基準信号に応じて、上記第１のメモリ手段と上記デコード手段を制御して、上記第１のメモリ手段に記憶された映像信号を、再生速度が上記標準再生速度よりも速い場合は、上記標準再生速度の場合と同じデータ量の映像信号は、上記デコード手段の一のデコード部で伸長処理すると共に、上記標準再生速度の場合よりも多く読み込まれた映像信号は、他のデコード部で伸長処理し、再生速度が上記標準再生速度よりも遅い場合は、上記一のデコード部で伸長処理し、
上記所定の基準信号に応じて、上記第２のメモリ手段を制御して、上記デコード手段で伸長処理して得られた映像信号を、再生速度が上記標準再生速度よりも速い場合は、上記標準再生速度の場合と同じデータ量の映像信号は、上記第２のメモリ手段の一のメモリ部に記憶すると共に、上記標準再生速度の場合よりも多く読み込まれた映像信号は、他のメモリ部に記憶し、再生速度が上記標準再生速度よりも遅い場合は、上記一のメモリ部に記憶し、
この記憶された映像信号を間引きあるいは２度読みすることにより、再生速度が変更された映像信号を得ることを特徴とする映像信号再生装置。
【請求項３】
上記制御手段では、再生速度が上記標準再生速度よりも遅い場合には、上記第２のメモリ手段の上記一のメモリ部に記憶された映像信号を２度読みすることにより、再生速度が上記標準再生速度よりも遅いものとされた映像信号を得る
ことを特徴とする請求項２記載の映像信号再生装置。
【請求項４】
上記第２のメモリ手段は、上記複数のメモリ部から読み出された映像信号を選択する信号選択部を有し、
上記制御手段では、再生速度が上記標準再生速度よりも速い場合には、上記複数のメモリ部に記憶された映像信号を間引きして読み出すと共に、上記複数のメモリ部から読み出された映像信号を信号選択部で選択することにより、再生速度が上記標準再生速度よりも速いものとされた映像信号を得る
ことを特徴とする請求項２記載の映像信号再生装置。
【発明の詳細な説明】
【０００１】
【発明の属する技術分野】
この発明は映像信号再生方法および映像信号再生装置に関する。詳しくは、記録媒体に記録されているデータ量の圧縮された映像信号を再生する際に、記録媒体から読み出す映像信号のデータ量を変更し、記録媒体から読み出された映像信号を所定の速度で伸長処理し、伸長処理して得られた映像信号をメモリ手段に記憶させて、メモリ手段から映像信号を間引きあるいは２度読みすることにより、伸長処理の速度を変更することなく再生速度が変更された映像信号を得ることができるものである。
【０００２】
【従来の技術】
従来、例えば磁気ディスクを用いたハードディスク装置等に記録された映像信号を再生できる映像信号再生装置が知られている。ここで、映像信号再生装置の構成を図４に示す。なお、図４では、ハードディスク装置に映像信号を記録する記録系の回路も図示している。
【０００３】
図４において、デジタルの映像入力信号Ｄinは、エンコード部１１でデータ量が圧縮されて映像信号Ｄaとされてメモリ部１２に書き込まれる。このメモリ部１２に書き込まれた映像信号Ｄaは、ＣＰＵ(Central Processing Unit)を用いて構成された制御部５０からの制御信号ＣＴＷに基づきメモリ部１２から読み出されて、映像信号Ｄbとしてインタフェース部１３に供給されると共に、インターフェース部１３では、制御信号ＣＴＷに基づき、ＰＣＩ(Peripheral Component Interconnect)バス２０を介して映像信号Ｄbがハード・ディスク装置３０に供給されて記録される。なお、映像入力信号Ｄinの記録は基準映像信号Ｄrefを基準として処理が行われる。
【０００４】
ハード・ディスク装置３０に記録された映像信号Ｄbを再生する場合は、所望の映像信号を読み出すための命令が制御部５０からインタフェース部４１およびＰＣＩバス２０を介してハード・ディスク装置３０に供給される。この命令に従い、ハード・ディスク装置３０から所望の映像信号Ｄcが読み出される。この映像信号Ｄcは、ＰＣＩバス２０およびインタフェース部４１を介してメモリ部４２に書き込まれる。
【０００５】
メモリに書き込まれた映像信号Ｄcは制御信号ＣＴＢに基づいて読み出されて映像信号Ｄdとしてデコード部４３に供給される。デコード部４３では、圧縮されている映像信号Ｄdが伸長処理されて、映像信号Ｄeとしてメモリ部４４に書き込まれ、このメモリ部４４から記憶されている映像信号が読み出されてディジタルの映像出力信号Ｄoutとして出力される。
【０００６】
ここで、基準映像信号Ｄrefは、メモリ部４４に供給されると共に再生速度可変部６０に供給される。再生速度可変部６０では、制御部５０からの再生速度を制御するための制御信号ＰＣに基づいて基準映像信号Ｄrefの周波数を可変して新たな再生基準映像信号Ｄvrが生成される。この再生基準映像信号Ｄvrは、制御部５０等に供給されて、再生基準映像信号Ｄvrに基づいて、ハード・ディスク装置３０からの映像信号Ｄcの読み出し処理や、インタフェース部４１の制御あるいはメモリ部４２での映像信号の書き込みや読み出し処理が行われる。また、デコード部４３ではメモリ部４２から供給される映像信号Ｄdに同期した基準信号が生成されて、この基準信号に基づいて映像信号Ｄdの伸長処理が行われる。
【０００７】
次に、再生速度の可変動作について図５を用いて説明する。図５Ａは標準再生速度の場合の映像出力信号Ｄoutのフレームを示しており、再生速度を標準再生速度に対して２０％速める場合には、制御部５０からの命令によって、図５Ｂに示すように、ハード・ディスク装置３０から映像信号Ｄcが２０％多く読み出される。例えば、標準再生速度で「０」フレームから「９」フレームまでの映像信号の読み出しに対して、「０」フレームから「１１」フレームまでの映像信号がハード・ディスク装置３０から読み出される。また、制御部５０からの制御信号ＰＣに基づいて、再生基準映像信号Ｄvrの周波数が基準映像信号Ｄrefよりも２０％高められる。
【０００８】
制御部５０では、再生基準映像信号Ｄvrに基づいて制御信号ＣＴＢの生成が行われて、メモリ部４２での映像信号の書き込みや読み出しが２０％早められる。このため、デコード部４３では伸長処理を行うための基準信号の周波数も２０％高められることから伸長処理動作が２０％速められて、メモリ部４４には、図５Ｃに示すように映像信号Ｄeが２０％多く書き込まれる。
【０００９】
ここで、ディジタルの映像出力信号Ｄoutは、基準映像信号Ｄrefに基づいてメモリ部４４から映像信号が読み出されることにより生成されるため、図５Ｄに示すように例えば「４」フレーム、「９」フレーム、「１４」フレーム・・・が間引きされて、再生速度を２０％速めた映像出力信号Ｄoutを出力させることができる。すなわち標準再生速度での「０」フレームから「９」フレームの期間中に、「０」フレームから「１１」フレームの画像を表示することができる。
【００１０】
再生速度を標準再生速度に対して２０％遅める場合には、制御部５０からの命令によって、図５Ｅに示すように、ハード・ディスク装置３０から映像信号Ｄcが２０％少なく読み出される。例えば、標準再生速度での「０」フレームから「９」フレームまでの映像信号の読み出しに対して、「０」フレームから「７」フレームまでの映像信号がハード・ディスク装置３０から読み出される。また、制御部５０からの制御信号ＰＣに基づいて、再生基準映像信号Ｄvrの周波数が基準映像信号Ｄrefよりも２０％低められる。
【００１１】
また、メモリ部４２での映像信号の書き込みや読み出しが２０％遅められるため、デコード部４３では伸長処理を行うための基準信号の周波数も２０％低められることから伸長処理動作が２０％遅められて、メモリ部４４には、図５Ｆに示すように映像信号Ｄeが２０％少なく書き込まれる。
【００１２】
ここで、ディジタルの映像出力信号Ｄoutは、基準映像信号Ｄrefに基づいてメモリ部４４から映像信号が読み出されることにより生成されるため、図５Ｇに示すように例えば「０」フレーム、「５」フレーム・・・が２度読みされて、再生速度を２０％遅めた映像出力信号Ｄoutを得ることができる。
【００１３】
【発明が解決しようとする課題】
ところで、メモリ部４２からの映像信号Ｄdに同期する基準信号を生成して、この基準信号に基づいて伸長処理を行うデコード部では、再生速度に応じて映像信号Ｄdの周波数も大きく可変されることから、この映像信号Ｄdに同期した基準信号を生成するためには、基準信号を生成するための回路が複雑となってしまう。
【００１４】
そこで、この発明では、簡単な構成で容易に再生速度を可変することができる映像信号再生方法および映像信号再生装置を提供するものである。
【００１５】
【課題を解決するための手段】
この発明に係る映像信号再生方法は、記録媒体に記録されているデータ量の圧縮された映像信号を再生する映像信号再生装置で、所定時間を１つのサイクルとし、この１つのサイクルを分割してタイムスロットが設定され、このタイムスロット単位で再生が行われる映像信号再生方法であって、再生速度が所定の基準信号に応じた標準再生速度よりも速い場合は、この再生速度に基づいて生成された再生基準信号に応じて、記録媒体から標準再生速度の場合よりも映像信号を多く読み出して第１のメモリ手段に記憶すると共に、再生速度が標準再生速度よりも遅い場合は、この再生速度に基づいて生成された再生基準信号に応じて、記録媒体から標準再生速度の場合よりも映像信号を少なく読み出して第１のメモリ手段に記憶し、記録媒体から読み出され第１のメモリ手段に記憶された映像信号を、再生速度が標準再生速度よりも速い場合は、標準再生速度の場合と同じデータ量の映像信号は、複数のデコード部を有したデコード手段の一のデコード部で所定の基準信号に応じて伸長処理すると共に、標準再生速度の場合よりも多く読み込まれた映像信号は、他のデコード部で所定の基準信号に応じて伸長処理し、再生速度が標準再生速度よりも遅い場合は、一のデコード部で所定の基準信号に応じて伸長処理し、伸長処理して得られた映像信号を、再生速度が標準再生速度よりも速い場合は、標準再生速度の場合と同じデータ量の映像信号は、複数のメモリ部を有した第２のメモリ手段の一のメモリ部に所定の基準信号に応じて記憶すると共に、標準再生速度の場合よりも多く読み込まれた映像信号は、所定の基準信号に応じて他のメモリ部に記憶し、再生速度が標準再生速度よりも遅い場合は、所定の基準信号に応じて一のメモリ部に記憶し、再生速度に応じて第２のメモリ手段の単一のメモリ部または複数のメモリ部に記憶された映像信号を間引きあるいは２度読みすることにより、再生速度が変更された映像信号を得るものである。
【００１６】
また、この発明に係る映像信号再生装置は、所定時間を１つのサイクルとし、この１つのサイクルを分割してタイムスロットが設定され、このタイムスロット単位で映像信号の再生が行われる映像信号再生装置であって、データ量の圧縮された映像信号が記録されている記録媒体から映像信号を読み出す信号読出手段と、信号読出手段で読み出された映像信号を記憶する第１のメモリ手段と、第１のメモリ手段に記憶されている映像信号を伸長処理する複数のデコード部を有したデコード手段と、デコード手段で伸長処理して得られた映像信号を記憶する複数のメモリ部を有した第２のメモリ手段と、信号読出手段と第１のメモリ手段とデコード手段と第２のメモリ手段を制御する制御手段とを有し、制御手段では、再生速度が所定の基準信号に応じた標準再生速度よりも速い場合は、この再生速度に基づいて生成された再生基準信号に応じて、信号読出手段を制御して記録媒体から標準再生速度の場合よりも映像信号を多く読み出し、第１のメモリ手段を制御して信号読出手段により読み出した映像信号を第１のメモリ手段に記憶すると共に、再生速度が標準再生速度よりも遅い場合は、この再生速度に基づいて生成された再生基準信号に応じて、信号読出手段を制御して記録媒体から標準再生速度の場合よりも映像信号を少なく読み出し、第１のメモリ手段を制御して第１のメモリ手段に記憶し、所定の基準信号に応じて、第１のメモリ手段とデコード手段を制御して、第１のメモリ手段に記憶された映像信号を、再生速度が標準再生速度よりも速い場合は、標準再生速度の場合と同じデータ量の映像信号は、デコード手段の一のデコード部で伸長処理すると共に、標準再生速度の場合よりも多く読み込まれた映像信号は、他のデコード部で伸長処理し、再生速度が標準再生速度よりも遅い場合は、一のデコード部で伸長処理し、所定の基準信号に応じて、第２のメモリ手段を制御して、デコード手段で伸長処理して得られた映像信号を、再生速度が標準再生速度よりも速い場合は、標準再生速度の場合と同じデータ量の映像信号は、第２のメモリ手段の一のメモリ部に記憶すると共に、標準再生速度の場合よりも多く読み込まれた映像信号は、他のメモリ部に記憶し、再生速度が標準再生速度よりも遅い場合は、一のメモリ部に記憶し、この記憶された映像信号を間引きあるいは２度読みすることにより、再生速度が変更された映像信号を得るものである。
【００１７】
制御手段では、再生速度が標準再生速度よりも遅い場合には、第２のメモリ手段の一のメモリ部に記憶された映像信号を２度読みすることにより、再生速度が標準再生速度よりも遅いものとされた映像信号を得る。また、再生速度が標準再生速度よりも速い場合には、複数のメモリ部に記憶された映像信号を間引きして読み出すと共に、複数のメモリ部から読み出された映像信号を信号選択部で選択することにより、再生速度が標準再生速度よりも速いものとされた映像信号を得る。
【００１８】
この発明においては、記録媒体に記録されているデータ量の圧縮された映像信号を再生する際に、再生速度が例えば標準再生速度に対して変更されたときには、変更された再生速度に基づいて生成された再生基準信号に応じて、記録媒体から映像信号が読み出される。即ち、記録媒体から読み出される映像信号のデータ量が再生速度に応じて変更され、再生速度が所定の基準信号に応じた標準再生速度よりも速い場合は、標準再生速度の場合よりも映像信号が多く読み出されて、第１のメモリ手段に記憶される共に、再生速度が標準再生速度よりも遅い場合は、標準再生速度の場合よりも映像信号が少なく読み出されて、第１のメモリ手段に記憶される。このときデコード手段では読み出された映像信号の伸長処理が、再生速度に係わらず、所定の基準信号に応じて所定の速度で行われる。即ち、再生速度が標準再生速度よりも速い場合は、標準再生速度の場合と同じデータ量の映像信号が、デコード手段の一のデコード部で所定の基準信号に応じて伸長処理されると共に、標準再生速度の場合よりも多く読み込まれた映像信号が、他のデコード部で所定の基準信号に応じて伸長処理される。また、再生速度が標準再生速度よりも遅い場合は、一のデコード部で所定の基準信号に応じて伸長処理される。
伸長処理で得られた映像信号は、再生速度に応じて第２のメモリ手段の単一のメモリ部または複数のメモリ部に記憶される。この第２のメモリ手段から映像信号が間引きあるいは２度読みされることにより、変更された再生速度に応じた映像信号が出力される。
【００１９】
ここで、再生速度が例えば標準再生速度よりも速いものとされた場合には、読み出される映像信号のデータ量が標準再生速度よりも多いものとされるので、複数のデコード部で読み出された映像信号の伸長処理が行われて、得られた映像信号が複数のメモリ部に記憶される。このメモリ部に記憶された映像信号が間引きして読み出されると共に、複数のメモリ部から間引きして読み出された映像信号が信号選択部で選択されて標準再生速度よりも再生速度が速い映像信号を得られる。
【００２０】
【発明の実施の形態】
次に、この発明の実施の一形態について図を用いて説明する。図１はこの発明に係る映像信号再生装置の構成を示している。ここで、ハード・ディスク装置３０には、ディジタルの映像信号のデータ量が圧縮されて記録されている。
【００２１】
このハード・ディスク装置３０は、例えばＰＣＩバス２０を介してインタフェース部７１に接続される。このインタフェース部７１には第１のメモリ手段であるメモリ部７２と制御部８０が接続されており、制御部８０から所望の映像信号を読み出すための命令が出力されたときには、この命令がインタフェース部７１とＰＣＩバス２０を介してハード・ディスク装置３０に供給される。
【００２２】
ハード・ディスク装置３０では、この命令に基づいて所望の映像信号Ｄcが読み出されて、ＰＣＩバス２０およびインタフェース部７１を介して、メモリ部７２に供給される。
【００２３】
メモリ部７２には、デコード手段である２つのデコード部７３，７４と、制御部８０が接続されており、制御部８０からの制御信号ＣＴＣに基づいて映像信号Ｄcがメモリ部７２に書き込まれる。また、制御信号ＣＴＤに基づいて標準再生速度での再生動作と等しい速度で映像信号が読み出されて映像信号Ｄfとしてデコード部７３に供給されると共に、再生速度が速められてハード・ディスク装置３０から標準再生速度での再生動作時よりも多く記録されている映像信号も、標準再生速度での再生動作と等しい速度で読み出されて映像信号Ｄgとしてメモリ部７２からデコード部７４に供給される。
【００２４】
デコード部７３には、第２のメモリ手段を構成するメモリ部７５と、制御部８０が接続されており、制御部８０からの制御信号ＣＴＤによって、標準再生速度での再生動作と等しい速度で映像信号Ｄfの伸長処理が行われ、得られた映像信号Ｄhはメモリ部７５に供給される。
【００２５】
デコード部７４もデコード部７３と同様に、制御部８０からの制御信号ＣＴＤによって、標準再生速度での再生動作と等しい速度で映像信号Ｄgの伸長処理が行われ、得られた映像信号Ｄjは第２のメモリ手段であるメモリ部７６に供給される。
【００２６】
メモリ部７５，７６には、信号選択部７７および制御部８０が接続されていると共に、信号選択部７７には制御部８０が接続されており、制御部８０からの制御信号ＣＴＤに基づいてメモリ部７５に記憶されている映像信号が順次読み出されて信号選択部７７で選択されて映像出力信号Ｄoutとして出力されると共に、メモリ部７５に記憶されている標準再生時のデータ量と等しいデータ量の映像信号の読み出しが終了したときには、メモリ部７６に記憶されている映像信号が順次読み出されて信号選択部７７で選択されて映像出力信号Ｄoutとして出力される。
【００２７】
ここで、基準映像信号Ｄrefは、制御部８０と再生速度制御部９０に供給されており、再生速度制御部９０では、制御部８０からの再生速度を制御するための制御信号ＰＣに基づいて基準映像信号Ｄrefの周波数を可変して新たな再生基準映像信号Ｄvrが生成される。この再生基準映像信号Ｄvrは、制御部８０に供給される。
【００２８】
制御部８０では、再生基準映像信号Ｄvrに基づいて、ハード・ディスク装置３０からの映像信号Ｄcが読み出し処理や、インタフェース部７１あるいはメモリ部７２の書き込み処理を行うための制御信号ＣＴＣが生成される。また基準映像信号Ｄrefに基づいて、メモリ部７２での映像信号の読み出し処理やデコード部７３，７４での伸長処理、メモリ部７５，７６での映像信号の書き込みや読み出し処理、更に信号選択部７７での信号選択処理を制御するための制御信号ＣＴＤが生成される。
【００２９】
このように構成された映像信号再生装置では、所定時間（例えば１秒）を１つのサイクルとし、この１つのサイクルを分割してタイムスロットが設定され、このタイムスロット単位で再生が行われる。例えば、図２に示すように１つのサイクルが４つのタイムスロット「Ｔ１」〜「Ｔ４」に分割されている場合には、１つのタイムスロット、例えばタイムスロット「Ｔ２」の期間中にハード・ディスク装置から１サイクル分の映像信号に対応する映像信号が読み出されて、この読み出された映像信号が伸長されて１サイクル分の映像出力信号とされる。
【００３０】
次に、図３を使用して動作について説明する。図３Ａは標準再生速度の場合の映像出力信号Ｄoutのフレームを示しており、再生速度を標準再生速度に対して２０％速める場合には、制御部８０からの命令によって、図３Ｂに示すように、ハード・ディスク装置３０から映像信号Ｄcが２０％多く読み出される。例えば、標準再生速度で「０」フレームから「９」フレームまでの映像信号の読み出しに対して、「０」フレームから「１１」フレームまでの映像信号がハード・ディスク装置３０から読み出される。また、制御部８０からの制御信号ＰＣに基づいて、再生基準映像信号Ｄvrの周波数が基準映像信号Ｄrefよりも２０％高められる。
【００３１】
制御部８０では、再生基準映像信号Ｄvrに基づいて制御信号ＣＴＣの生成が行われて、この制御信号ＣＴＣに基づきメモリ部７２での映像信号の書き込みが２０％早められて、メモリ部７２には、標準再生速度の場合よりも２０％多くの映像信号Ｄcが記憶される。
【００３２】
メモリ部７２に記憶された映像信号は、制御信号ＣＴＤに基づいて読み出される。ここで、標準再生速度の場合と等しいデータ量の映像信号がデコード部７３に供給されると共に、標準再生速度の場合よりも多く読み込まれた映像信号はデコード部７４に供給される。
【００３３】
このデコード部７３，７４は、制御信号ＣＴＤに基づいて標準再生速度と等しい速度で伸長処理が行われる。このため、デコード部７３からは図３Ｃに示すように「０」フレームから「９」フレームに対応する映像信号Ｄhがメモリ部７５に書き込まれる。また、デコード部７４からは図３Ｄに示すように、標準再生速度の場合よりも多く読み込まれた「１０」フレームおよび「１１」フレームに対応する映像信号Ｄjがメモリ部７６に書き込まれる。
【００３４】
ここで、メモリ部７５に記憶された映像信号の読み出しは、例えば「４」フレームと「９」フレームの映像信号を間引いて行われ、このメモリ部７５から読み出された映像信号が信号選択部７７で選択されて映像出力信号Ｄoutとして出力される。メモリ部７５に記憶された映像信号の読み出しが完了したときには、メモリ部７６に記憶された映像信号が引き続き読み出されて、信号選択部７７で選択されて映像出力信号Ｄoutとして出力される。
【００３５】
このため、図３Ｅに示すように、再生速度を２０％速めた映像出力信号Ｄoutを出力させることができる。すなわち標準再生速度での「０」フレームから「９」フレームの期間中に、「０」フレームから「１１」フレームの画像を表示することができる。
【００３６】
また、再生速度を標準再生速度に対して２０％遅める場合には、制御部８０からの命令によって、図３Ｆに示すように、ハード・ディスク装置３０から映像信号Ｄcが２０％少なく読み出される。例えば、標準再生速度での「０」フレームから「９」フレームまでの映像信号の読み出しに対して、「０」フレームから「７」フレームまでの映像信号がハード・ディスク装置３０から読み出される。このとき、制御部８０からの制御信号ＰＣに基づいて、再生基準映像信号Ｄvrの周波数が基準映像信号Ｄrefよりも２０％低められる。
【００３７】
このため、メモリ部７２での映像信号の書き込みが２０％遅められてメモリ部７２には、標準再生速度の場合よりも２０％少ない映像信号Ｄcが記憶される。
【００３８】
メモリ部７２に記憶された映像信号は、制御信号ＣＴＤに基づいて読み出されてデコード部７３に供給され、デコード部７３では制御信号ＣＴＤに基づいて標準再生速度と等しい速度で伸長処理が行われる。このため、デコード部７３からは図３Ｇに示すように「０」フレームから「７」フレームに対応する映像信号Ｄhがメモリ部７５に書き込まれる。
【００３９】
ここで、メモリ部７５に記憶された映像信号の読み出しは、例えば「０」フレームと「５」フレームの映像信号が２度読みされて、再生速度を２０％遅めた映像出力信号Ｄoutを得ることができる。
【００４０】
このように、上述の実施の形態よれば、デコード部やメモリ部の書き込みを再生速度に係らず所定の速度で行うことができるため、構成が簡単で制御を容易とすることができる。なお、上述の実施の形態では、１フレームの映像信号をまとめずに圧縮する場合について説明したが、ＭＰＥＧ（Moving Picture Experts Group）方式のように映像をＧＯＰ(Group of Pictures)にまとめて圧縮する場合についても容易に適用することが可能である。また、映像信号はデジタル映像信号としたが、アナログ映像信号も、それをＡ／Ｄ、Ｄ／Ａ変換して入出力することにより扱うことが可能となる。さらに、ここでは、ＰＣＩバスを介してハード・ディスク装置に映像信号を記録するものとしたが、他のインタフェースバス、例えばＳＣＳＩ等のインタフェースバスを用いることもできる。また、ハード・ディスク装置の磁気ディスクに記録されている映像信号を再生する場合に限らず、例えば光ディスク装置の光ディスクに記録されている映像信号を再生する場合であっても良いことは勿論である。
【００４１】
【発明の効果】
この発明によれば、データ量の圧縮された映像信号を再生する場合、変更された再生速度に応じて記録媒体から読み出される映像信号のデータ量が変更される。このときデコード手段では読み出された映像信号の伸長処理が再生速度に係わらず所定の速度で行われて、得られた映像信号は第２のメモリ手段に記憶される。この第２のメモリ手段から映像信号が間引きあるいは２度読みされることにより、変更された再生速度に応じた映像信号が出力される。
【００４２】
このように、本発明によれば、再生速度によらず、デコード部での映像信号の伸長処理を常に所定の速度で行うことが可能となる。これにより、再生速度に応じてデコード部での映像信号の伸長処理を変更するものに比べて、構成が簡単となり、容易に再生速度が変更された映像信号を得ることができる。
【図面の簡単な説明】
【図１】この発明に係る映像信号再生装置の構成を示す図である。
【図２】タイムスロットを説明するための図である。
【図３】映像信号再生装置の動作を説明するための図である。
【図４】従来の映像信号再生装置の構成を示す図である。
【図５】従来の映像信号再生装置の動作を説明するための図である。
【符号の説明】
２０・・・ＰＣＩバス、３０・・・ハード・ディスク装置、６０  ・・・再生速度可変部、７１・・・インタフェース部、７２，７５，７６・・・メモリ部、７３，７４・・・デコード部、７７・・・信号選択部、８０・・・制御部
【図１】
0003887890.tif 000002
【図２】
0003887890.tif 000003
【図３】
0003887890.tif 000004
【図４】
0003887890.tif 000005
【図５】
0003887890.tif 000006